(57)【特許請求の範囲】
【請求項１】
予め設定された所定期限に至る迄の間有効とするプリペイドカード機能Ａと、予め設定された所定金額の範囲内において有効とするプリペイドカード機能Ｂとを管理するプリペイドカード管理システムであって、前記プリペイドカード機能Ａの前記所定期限に至る迄の残存期間を金額に換算することができる金額換算手段を備え、該金額換算手段により換算された前記金額の少なくとも一部を前記プリペイドカード機能Ｂの残存金額に充当することが可能であって、前記プリペイドカード機能Ｂの残存金額への前記プリペイドカード機能Ａからの金額の充当がなされるに際して、前記プリペイドカード機能Ａの有効期限を、充当する前記金額に応じた期間分短縮した仮期限に設定することを特徴とするプリペイドカード管理システム。
【請求項２】
請求項１に記載のプリペイドカード管理システムであって、前記プリペイドカード機能Ｂの残存金額に不足金額が発生したことを検出する金額不足検出手段を更に備え、前記金額不足検出手段の検出結果に基いて、前記金額換算手段が起動されることを特徴とするプリペイドカード管理システム。
【請求項３】
請求項１又は２に記載のプリペイドカード管理システムであって、前記プリペイドカード機能Ｂの残存金額への前記プリペイドカード機能Ａからの金額の充当がなされるに際して、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有している場合に限り、前記仮期限に設定することを可能としていることを特徴とするプリペイドカード管理システム。
【請求項４】
請求項１乃至３のいずれか１項に記載のプリペイドカード管理システムであって、前記プリペイドカード機能Ｂの残存金額への前記プリペイドカード機能Ａからの金額の充当がなされるに際して、前記プリペイドカード機能Ａの残存期間に基いて換算された金額が、前記プリペイドカード機能Ｂの残存金額へ充当するに充分な金額に達しない場合、あるいは、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有していない場合、充当不可能である旨を通知する警告音を鳴動させることを特徴とするプリペイドカード管理システム。
【請求項５】
請求項１乃至４のいずれか１項に記載のプリペイドカード管理システムであって、前記プリペイドカード機能Ｂの残存金額への前記プリペイドカード機能Ａからの充当金額が記録されている前記プリペイドカードから該充当金額を検出する充当金額検出手段を備え、該充当金額検出手段により検出された前記充当金額以上の金額の入金が該プリペイドカードに対してなされた場合には、該プリペイドカードに設定されていた前記仮期限を、予め設定されているべき前記所定期限に復元させて設定することを特徴とするプリペイドカード管理システム。
【請求項６】
予め設定された所定期限に至る迄の間有効とするプリペイドカード機能Ａと、予め設定された所定金額の範囲内において有効とするプリペイドカード機能Ｂとの両方の機能を１枚のカードに備えているプリペイドカードのプリペイドカード改札機であって、前記プリペイドカード機能Ａの前記所定期限に至る迄の残存期間を金額に換算することができる金額換算手段を備え、該金額換算手段により換算された前記金額の少なくとも一部を前記プリペイドカード機能Ｂの残存金額に充当することが可能であって、前記プリペイドカード機能Ｂの残存金額への前記プリペイドカード機能Ａからの金額の充当がなされるに際して、前記プリペイドカード機能Ａの有効期限を、充当する前記金額に応じた期間分短縮した仮期限に設定することを特徴とするプリペイドカード改札機。
【請求項７】
請求項６に記載のプリペイドカード改札機であって、前記プリペイドカード機能Ｂの残存金額に不足金額が発生したことを検出する金額不足検出手段を更に備え、前記金額不足検出手段の検出結果に基いて、前記金額換算手段が起動されることを特徴とするプリペイドカード改札機。
【請求項８】
請求項６又は７に記載のプリペイドカード改札機であって、前記プリペイドカード機能Ｂの残存金額への前記プリペイドカード機能Ａからの金額の充当がなされるに際して、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有している場合に限り、前記仮期限に設定することを可能としていることを特徴とするプリペイドカード改札機。
【請求項９】
請求項６乃至８のいずれか１項に記載のプリペイドカード改札機であって、前記プリペイドカード機能Ｂの残存金額への前記プリペイドカード機能Ａからの金額の充当がなされるに際して、前記プリペイドカード機能Ａの残存期間に基いて換算された金額が、前記プリペイドカード機能Ｂの残存金額へ充当するに充分な金額に達しない場合、あるいは、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有していない場合、充当不可能である旨を通知する警告音を鳴動させることを特徴とするプリペイドカード改札機。
【請求項１０】
請求項６乃至９のいずれか１項に記載のプリペイドカード改札機であって、ネットワーク接続手段を更に備え、該ネットワーク接続手段を介して、ネットワークに接続されているサーバとの間でデータを送受信することを可能としていることを特徴とするプリペイドカード改札機。
【請求項１１】
請求項６乃至１０のいずれか１項に記載のプリペイドカード改札機であって、前記プリペイドカードが、磁気カードによる挿入型プリペイドカード、あるいは、ＩＣカードによる非接触型プリペイドカードのいずれでも使用可能としていることを特徴とするプリペイドカード改札機。
【請求項１２】
請求項６乃至１１のいずれか１項に記載のプリペイドカード改札機であって、前記プリペイドカードの表裏面に、前記所定期限，前記仮期限，前記残存金額あるいは充当する充当金額を印字したり、あるいは、前記プリペイドカードに更にディスプレイ部を備え、前記所定期限，前記仮期限，前記残存金額あるいは充当する充当金額をディスプレイ表示することができることを特徴とするプリペイドカード改札機。
【請求項１３】
請求項５に記載のプリペイドカード管理システムにおいて用いられるプリペイドカード券売機であって、前記プリペイドカード機能Ｂの残存金額への前記プリペイドカード機能Ａからの充当金額が記録されている前記プリペイドカードから該充当金額を検出する充当金額検出手段を備え、該充当金額検出手段により検出された前記充当金額以上の金額の入金が該プリペイドカードに対してなされた場合には、該プリペイドカードに設定されていた前記仮期限を、予め設定されているべき前記所定期限に復元させて設定することを特徴とするプリペイドカード券売機。
【請求項１４】
請求項１３に記載のプリペイドカード券売機であって、前記プリペイドカードが、磁気カードによる挿入型プリペイドカード、あるいは、ＩＣカードによる非接触型プリペイドカードのいずれでも使用可能としていることを特徴とするプリペイドカード券売機。
【請求項１５】
請求項１３又は１４に記載のプリペイドカード券売機であって、前記プリペイドカードの表裏面に、前記所定期限，前記仮期限，前記残存金額あるいは充当する充当金額を印字したり、あるいは、前記プリペイドカードに更にディスプレイを備え、前記所定期限，前記仮期限，前記残存金額あるいは充当する前記金額をディスプレイ表示することができることを特徴とするプリペイドカード券売機。
【発明の詳細な説明】
【０００１】
【発明の属する技術分野】
本発明は、プリペイドカード管理システム、プリペイドカード改札機、及び、プリペイドカード券売機に関する。
【０００２】
【従来の技術】
例えば、ＪＲ東日本（東日本旅客鉄道）では、乗車のたびに券売機などにより購入する乗車券の他に、プリペイドカード式の乗車券が使用されている。このプリペイドカードとしては、予め登録された乗車区間に関し予め登録された所定期間に亘って、乗降車を自由とする「定期券」と、予め支払った金額分の運賃に至るまでの間、乗降車を自由とする「イオカード」（登録商標）とがあり、更には、この「定期券」と「イオカード」（登録商標）との２つのプリペイドカードを１枚のカードとした「Ｓｕｉｃａ」（登録商標：Super Urban Intelligent Card）がある。
【０００３】
即ち、「Ｓｕｉｃａ」（登録商標）は、「定期券部」と「イオカード部」（運賃自動引き落とし部）との併用が可能であり、実際の乗車区間から「定期券部」が示す登録乗車区間（定期区間）を差し引いた残りの区間の乗入れ及び／又は乗越し運賃を「イオカード部」の残金から差し引いて支払うことができる。而して、従来のごとく、「定期券部」が示す登録乗車区間へ乗り入れる際に、予め券売機により該登録乗車区間までの乗車券を購入したり、あるいは、「定期券部」が示す登録乗車区間から乗り越す際に、自動精算機または有人精算窓口で運賃の精算処理をしたりする手間を省くことができる。
また、「Ｓｕｉｃａ」（登録商標）の場合には、「定期券部」の有効期限の更新処理、及び、「イオカード部」の残金部分への追加入金に関する処理のいずれの場合も、「Ｓｕｉｃａ」（登録商標）用のプリペイドカード券売機にて行なうことができる。
【０００４】
【発明が解決しようとする課題】
しかしながら、「Ｓｕｉｃａ」（登録商標）においては、「定期券部」と「イオカード部」（運賃自動引き落とし部）とが、それぞれ個別に管理されている。而して、例えば、「定期券部」が示す登録乗車区間（定期区間）からの乗越し時などにおいて、「イオカード部」の残金が不足していた場合には、アラームが鳴り、改札口のゲートが開かず、「Ｓｕｉｃａ」（登録商標）使用者は改札口を通過することができなくなる。而して、「Ｓｕｉｃａ」（登録商標）使用者は、自動精算機もしくは有人精算窓口にまで出向いて、運賃の不足分を支払う手続を必要とすることとなるため、「Ｓｕｉｃａ」（登録商標）使用者本人自身に対して、２度手間となる煩わしさが発生する上に、混雑している駅においては、乗客の流れを乱し、混雑を助長する原因ともなってしまう。
【０００５】
一般に、「Ｓｕｉｃａ」（登録商標）の「定期券部」は、通勤，通学などにおいて、ほぼ毎日使用することとなるので、通常、「定期券部」の有効期限は意識して使われることとなるが、一方、「イオカード部」は、本来、非定期的に使用されるものであり、たとえ、改札口において「イオカード部」の残金が表示されたとしても、「イオカード部」の該残金を意識して使うことが少ない上に、乗入れ及び／又は乗越しの際に精算用として複雑な運賃計算が必要となる場合には、精算用として必要とする運賃を正確に知ることは難しく、「イオカード部」の残金が不足してしまうか否かが不明となる事態が発生する可能性が多くなる。
【０００６】
一方、かかる対策の一環として、「Ｓｕｉｃａ」（登録商標）の「イオカード部」を、クレジットカードや口座引落としなどの後払い方式にも対応可能とすることが考えられるが、プリペイドカードシステム全体のコストアップを引き起こすことになること、更には、「Ｓｕｉｃａ」（登録商標）という定期券に対して、個人情報を入力して記録させてしまうことは、「Ｓｕｉｃａ」（登録商標）使用者への心理的な不安などを発生させることなどが問題となる。
【０００７】
本発明は、かかる事情に鑑みてなされたものであり、予め設定（即ち、購入）された所定期限に至る迄の間有効とするプリペイドカード機能Ａ（例えば、定期券部）と、予め設定（即ち、購入）された所定金額の範囲内において有効とするプリペイドカード機能Ｂ（例えば、イオカード部）との両者を管理するプリペイドカード管理システムにおいて、該プリペイドカードＢの使用の際に、たとえ、前記プリペイドカード機能Ｂの残金に不足が発生した場合であっても、前記プリペイドカード機能Ａ（例えば、定期券部）が示す残存期間を金額に換算して、前記プリペイドカード機能Ｂの残金の不足分に充当することのできるプリペイドカード管理システム、該プリペイドカード管理システムを実現するためのプリペイドカード改札機およびプリペイドカード券売機を提供することを目的としている。
【０００８】
即ち、一般に、プリペイドカード機能Ａ（例えば、定期券部）としては、たとえ、一度も使用したことがなくても、予め設定された所定期限即ち有効期限が過ぎてしまえば、その価値は完全に消滅してしまうが、一方、有効期限以内であれば、プリペイドカード機能Ａの機能を何度でも使用することができるものであり、プリペイドカード機能Ａの価値は、予め設定された所定期限即ち有効期限に至る迄の残存期間に依存していると考えられている。よって、プリペイドカード機能Ａの該残存期間を残している状態で、プリペイドカード機能Ａを返却した場合には、該残存期間に相当する金額に換算された払戻し金額を返却してもらうことが可能である。
【０００９】
而して、プリペイドカード機能Ｂ（例えば、イオカード部）の残金が不足したときには、プリペイドカード機能Ａ（例えば、定期券）の残存期間が示す価値の一部を金額に換算して、プリペイドカード機能Ｂ（例えば、イオカード部）の残金の不足分に充当することを可能とすると共に、プリペイドカード機能Ａ（例えば、定期券部）の予め設定された所定期限即ち有効期限を、充当された充当金額に応じた期間だけ、一旦、短縮することにより、例えば、駅などにおいて、プリペイドカード機能Ｂ（例えば、イオカード部）の残金による運賃の支払いに不足が発生した時においても、別途、自動精算機などによる精算処理をする必要はなく、改札口を通過することを可能にせんとするものである。
【００１０】
更には、一旦、プリペイドカード機能Ａ（例えば、定期券部）の残存期間を金額換算してプリペイドカード機能Ｂ（例えば、イオカード部）に対して充当された充当金額分を、後日、例えば、プリペイドカード券売機にて当該プリペイドカードに対して入金することを可能とすることにより、一旦、短縮されて設定されていたプリペイドカード機能Ａ（例えば、定期券部）の有効期限を、再び、元の予め設定されていた所定期限に復帰させることを可能にせんとするものである。
【００１１】
【課題を解決するための手段】
第１の技術手段は、予め設定された所定期限に至る迄の間有効とするプリペイドカード機能Ａと、予め設定された所定金額の範囲内において有効とするプリペイドカード機能Ｂとを管理するプリペイドカード管理システムであって、前記プリペイドカード機能Ａの前記所定期限に至る迄の残存期間を金額に換算することができる金額換算手段を備え、該金額換算手段により換算された前記金額の少なくとも一部を前記プリペイドカード機能Ｂの残存金額に充当することが可能であって、前記プリペイドカード機能Ｂの残存金額への前記プリペイドカード機能Ａからの金額の充当がなされるに際して、前記プリペイドカード機能Ａの有効期限を、充当する前記金額に応じた期間分短縮した仮期限に設定するプリペイドカード管理システムとすることを特徴とするものである。
【００１２】
第２の技術手段は、前記第１の技術手段に記載のプリペイドカード管理システムであって、前記プリペイドカード機能Ｂの残存金額に不足金額が発生したことを検出する金額不足検出手段を更に備え、前記金額不足検出手段の検出結果に基いて、前記金額換算手段が起動されるプリペイドカード管理システムとすることを特徴とするものである。
【００１４】
第３の技術手段は、前記第１又は第２の技術手段に記載のプリペイドカード管理システムであって、前記プリペイドカード機能Ｂの残存金額への前記プリペイドカード機能Ａからの金額の充当がなされるに際して、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有している場合に限り、前記仮期限に設定することを可能としているプリペイドカード管理システムとすることを特徴とするものである。
【００１５】
第４の技術手段は、前記第１乃至第３の技術手段のいずれかに記載のプリペイドカード管理システムであって、前記プリペイドカード機能Ｂの残存金額への前記プリペイドカード機能Ａからの金額の充当がなされるに際して、前記プリペイドカード機能Ａの残存期間に基いて換算された金額が、前記プリペイドカード機能Ｂの残存金額へ充当するに充分な金額に達しない場合、あるいは、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有していない場合、充当不可能である旨を通知する警告音を鳴動させるプリペイドカード管理システムとすることを特徴とするものである。
【００１６】
第５の技術手段は、前記第１乃至第４の技術手段のいずれかに記載のプリペイドカード管理システムであって、前記プリペイドカード機能Ｂの残存金額への前記プリペイドカード機能Ａからの充当金額が記録されている前記プリペイドカードから該充当金額を検出する充当金額検出手段を備え、該充当金額検出手段により検出された前記充当金額以上の金額の入金が該プリペイドカードに対してなされた場合には、該プリペイドカードに設定されていた前記仮期限を、予め設定されているべき前記所定期限に復元させて設定するプリペイドカード管理システムとすることを特徴とするものである。
【００１７】
第６の技術手段は、予め設定された所定期限に至る迄の間有効とするプリペイドカード機能Ａと、予め設定された所定金額の範囲内において有効とするプリペイドカード機能Ｂとの両方の機能を１枚のカードに備えているプリペイドカードのプリペイドカード改札機であって、前記プリペイドカード機能Ａの前記所定期限に至る迄の残存期間を金額に換算することができる金額換算手段を備え、該金額換算手段により換算された前記金額の少なくとも一部を前記プリペイドカード機能Ｂの残存金額に充当することが可能であって、前記プリペイドカード機能Ｂの残存金額への前記プリペイドカード機能Ａからの金額の充当がなされるに際して、前記プリペイドカード機能Ａの有効期限を、充当する前記金額に応じた期間分短縮した仮期限に設定するプリペイドカード改札機とすることを特徴とするものである。
【００１８】
第７の技術手段は、前記第６の技術手段に記載のプリペイドカード改札機であって、前記プリペイドカード機能Ｂの残存金額に不足金額が発生したことを検出する金額不足検出手段を更に備え、前記金額不足検出手段の検出結果に基いて、前記金額換算手段が起動されるプリペイドカード改札機とすることを特徴とするものである。
【００２０】
第８の技術手段は、前記第６又は第７の技術手段に記載のプリペイドカード改札機であって、前記プリペイドカード機能Ｂの残存金額への前記プリペイドカード機能Ａからの金額の充当がなされるに際して、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有している場合に限り、前記仮期限に設定することを可能としているプリペイドカード改札機とすることを特徴とするものである。
【００２１】
第９の技術手段は、前記第６乃至第８の技術手段のいずれかに記載のプリペイドカード改札機であって、前記プリペイドカード機能Ｂの残存金額への前記プリペイドカード機能Ａからの金額の充当がなされるに際して、前記プリペイドカード機能Ａの残存期間に基いて換算された金額が、前記プリペイドカード機能Ｂの残存金額へ充当するに充分な金額に達しない場合、あるいは、前記プリペイドカード機能Ａの有効期限として短縮設定される前記仮期限が、前記プリペイドカード機能Ｂの残存金額へ充当される充当金額以上の金額を該プリペイドカードに対して改めて入金するに充分な期間として予め定められた余裕期間以上の残存期間を有していない場合、充当不可能である旨を通知する警告音を鳴動させるプリペイドカード改札機とすることを特徴とするものである。
【００２２】
第１０の技術手段は、前記第６乃至第９の技術手段のいずれかに記載のプリペイドカード改札機であって、ネットワーク接続手段を更に備え、該ネットワーク接続手段を介して、ネットワークに接続されているサーバとの間でデータを送受信することを可能としているプリペイドカード改札機とすることを特徴とするものである。
【００２３】
第１１の技術手段は、前記第６乃至第１０の技術手段のいずれかに記載のプリペイドカード改札機であって、前記プリペイドカードが、磁気カードによる挿入型プリペイドカード、あるいは、ＩＣカードによる非接触型プリペイドカードのいずれでも使用可能としているプリペイドカード改札機とすることを特徴とするものである。
【００２４】
第１２の技術手段は、前記第６乃至第１１の技術手段のいずれかに記載のプリペイドカード改札機であって、前記プリペイドカードの表裏面に、前記所定期限，前記仮期限，前記残存金額あるいは充当する充当金額を印字したり、あるいは、前記プリペイドカードに更にディスプレイ部を備え、前記所定期限，前記仮期限，前記残存金額あるいは充当する充当金額をディスプレイ表示することができるプリペイドカード改札機とすることを特徴とするものである。
【００２５】
第１３の技術手段は、前記第５の技術手段に記載のプリペイドカード管理システムにおいて用いられるプリペイドカード券売機であって、前記プリペイドカード機能Ｂの残存金額への前記プリペイドカード機能Ａからの充当金額が記録されている前記プリペイドカードから該充当金額を検出する充当金額検出手段を備え、該充当金額検出手段により検出された前記充当金額以上の金額の入金が該プリペイドカードに対してなされた場合には、該プリペイドカードに設定されていた前記仮期限を、予め設定されているべき前記所定期限に復元させて設定するプリペイドカード券売機とすることを特徴とするものである。
【００２６】
第１４の技術手段は、前記第１３の技術手段に記載のプリペイドカード券売機であって、前記プリペイドカードが、磁気カードによる挿入型プリペイドカード、あるいは、ＩＣカードによる非接触型プリペイドカードのいずれでも使用可能としているプリペイドカード券売機とすることを特徴とするものである。
【００２７】
第１５の技術手段は、前記第１３又は第１４の技術手段に記載のプリペイドカード券売機であって、前記プリペイドカードの表裏面に、前記所定期限，前記仮期限，前記残存金額あるいは充当する充当金額を印字したり、あるいは、前記プリペイドカードに更にディスプレイを備え、前記所定期限，前記仮期限，前記残存金額あるいは充当する充当金額をディスプレイ表示することができるプリペイドカード券売機とすることを特徴とするものである。
【００２８】
【発明の実施の形態】
以下、図面を用いて、本発明に係るプリペイドカード管理システム、該プリペイドカード管理システムを実現するためのプリペイドカード改札機、及び、プリペイドカード券売機の実施例について説明する。
【００２９】
（本発明の係るプリペイドカード自体の一例の説明）
まず、本発明に係るプリペイドカードの形式に関して、運賃支払いに関する乗車券（即ち、有効期限を購入する定期乗車券部と支払い可能有効金額を購入するプリペイド乗車券部との２つの機能からなるプリペイドカード）を例にとって説明する。
図１は、本発明の一実施例におけるプリペイドカード表面の印字例であり、一方、図２は、図１に示す本発明の一実施例におけるプリペイドカード裏面の印字例である。即ち、図１及び図２は、予め設定された所定期限（即ち、通常期限）に至る迄の間有効とするプリペイドカード機能Ａ（以下、定期乗車券部と記述する）と、予め設定された所定金額の範囲内において有効とするプリペイドカード機能Ｂ（以下、プリペイド乗車券部と記述する）の両方の機能を併せ持つプリペイドカードのそれぞれ表面及び裏面の印字例を示している。
【００３０】
図１に示すように、本発明の一実施例を示すプリペイドカード表面の定期乗車券部（即ち、プリペイドカード機能Ａ）側には、登録乗車区間（定期区間）として「Ｐ駅」乃至「Ｑ駅」、あるいは、該定期乗車券部を有効とする有効期間として、「ｙ年ｍ月ｄ日」乃至「仮期限  Ｙ年Ｍ月Ｄ日」（又は、「通常  Ｙ0年Ｍ0月Ｄ0日」）などが印字されている。
ここに、仮期限とは、プリペイド乗車券部側の残金への充当金額処理のために、予め設定された所定期限（即ち、通常期限）から、該充当金額に相当する期間短縮された場合における有効期限を示すものであり、かかる充当金額処理がなされない限り、該仮期限と予め設定された所定期限（即ち、通常期限）とは、同一の有効期限を示している。
一方、図２に示すように、本発明の一実施例を示すプリペイドカード裏面のプリペイド乗車券部（即ち、プリペイドカード機能Ｂ）側には、プリペイド乗車券部の現在の残存金額を示すプリペイド残金（現在値）や、変更発生月日、入金・出金（乗車／下車）種別、利用駅、などの履歴情報が印字されている。
【００３１】
また、図３は、図１及び図２に示すプリペイドカード内部に保持されているデータの一部を例示しているメモリ一覧表である。即ち、プリペイドカード１内部には、予め設定（購入）された所定期限に至る迄の間有効とする定期乗車券部２と、予め設定（購入）された所定金額の範囲内において有効とするプリペイド乗車券部３とにそれぞれ関するデータが内部データとして１枚のカードに保持されている。
プリペイドカード１内部に保持されている定期乗車券部２に関する内部データのうち、表示することが必要とされる定期区間開始駅２ａ「Ｐ駅」、定期区間終了駅２ｂ「Ｑ駅」、定期種類２ｃ「通勤」、定期期間２ｄ「Ｎ箇月」、定期開始年月日２ｅ「ｙ／ｍ／ｄ」、通常期限２ｆ「Ｙ0／Ｍ0／Ｄ0」、及び、仮期限２ｇ「Ｙ／Ｍ／Ｄ」などについては、プリペイドカード１表面に印字されるが、必要に応じて、記録内容や印字内容が書き換えられる。
【００３２】
また、プリペイドカード１内部に保持されているプリペイド乗車券部３に関する内部データのうち、表示することが必要とされるプリペイド残金（現在値）３ａ「Ｘ円」、更には、該プリペイド残金（現在値）３ａ「Ｘ円」の変動事由（入金や乗車による出金など）が、プリペイドカード１裏面に履歴情報３ｃとして逐次印字される。
【００３３】
なお、プリペイド乗車券部３に関する内部データとしては、更に、例えば、プリペイドカード改札機を通過する際に、乗車と下車とのいずれの場合かを識別可能とするために、乗車した際の乗車駅を記録させるための乗車駅（現在）３ｂが保持記録されており、下車の際にプリペイドカード改札機において該乗車駅（現在）３ｂが参照されることにより、乗車ではなく下車時における処理を行なうことを指示すると共に、運賃の算出処理を行なうことを可能としている。
また、定期乗車券部２に関する内部データとして保持記録されている充当金額上限値２ｈは、詳細は後述するが、プリペイド乗車券部３のプリペイド残金（現在値）３ａ「Ｘ円」に対する充当を行なう際の定期乗車券部２の残存期間を金額に換算する上限金額をプリペイドカード１毎に個別に保持させるようにしているものである。
【００３４】
また、乗降車に当たって、前記プリペイドカード１を駅のプリペイドカード改札機に読み取らせて、運賃の精算処理が行なわれた際には、変動したプリペイド残金（現在値）３ａ「Ｘ円」を算出すると共に、前記プリペイドカード１の裏面にその履歴情報３ｃが印字される。
更に、かかる精算処理に当たって、プリペイド残金（現在値）３ａ「Ｘ円」に不足が発生した場合には、該プリペイドカード１の定期乗車券部２の残存期間を金額に換算し直して、該換算し直された該金額の一部を、前記プリペイド残金（現在値）３ａ「Ｘ円」の不足分に充当することにより、運賃の精算処理を行なわしめる。
【００３５】
かくのごとく、定期乗車券部２の残存期間の金額換算による充当金額をもって精算処理がなされた場合には、該定期乗車券部２の本来の有効期限である通常期限２ｆ「Ｙ0／Ｍ0／Ｄ0」から前記プリペイド残金（現在値）３ａ「Ｘ円」の不足分に対する充当金額の合計に応じた期間分を短縮させた仮期限２ｇ「Ｙ／Ｍ／Ｄ」を設定し、該プリペイドカード１の表面の仮期限２ｇの印字部分を書き換えると共に、充当された充当金額の合計をマイナス表示としてプリペイド残金（現在値）３ａ「Ｘ円」に記録させる。
【００３６】
また、プリペイドカード券売機において、前記プリペイドカード１の定期乗車券部２に関する乗降区間や有効期限の更新などがなされることにより、定期区間開始駅２ａ「Ｐ駅」、定期区間終了駅２ｂ「Ｑ駅」、定期種類２ｃ「通勤」、定期期間２ｄ「Ｎ箇月」、定期開始年月日２ｅ「ｙ／ｍ／ｄ」、通常期限２ｆ「Ｙ0／Ｍ0／Ｄ0」、及び、仮期限２ｇ「Ｙ／Ｍ／Ｄ」など、前記プリペイドカード１の定期乗車券部２に関する内部データが書き換えられた場合も、該プリペイドカード１表面の印字部分の書換えが行なわれ、更には、プリペイド残金（現在値）３ａ「Ｘ円」への入金が行なわれた場合も、該プリペイドカード１裏面のプリペイド残金（現在値）３ａ「Ｘ円」及び履歴情報３ｃの印字が行なわれる。
【００３７】
更に、定期乗車券部２の残存期間の金額換算による充当金額をもって精算処理がなされて、プリペイド残金（現在値）３ａ「Ｘ円」がマイナス表示がされ、該プリペイドカード１の定期乗車券部２の本来の有効期限である通常期限２ｆ「Ｙ0／Ｍ0／Ｄ0」から充当金額の合計に応じた期間分を短縮させた仮期限２ｇ「Ｙ／Ｍ／Ｄ」が設定されていた場合に、プリペイドカード券売機により、該充当金額以上の新たな入金がなされた場合には、充当金額の合計に応じた期間分短縮されて設定されていた前記仮期限２ｇ「Ｙ／Ｍ／Ｄ」は、本来の有効期限（予め設定された所定期限）である通常期限２ｆ「Ｙ0／Ｍ0／Ｄ0」と同じ期限に復元されることになる。
【００３８】
次に、本発明に係るプリペイドカード改札機とプリペイドカード券売機とのブロック構成図について説明する。ここに、図４は、本発明に係るプリペイドカード改札機のブロック構成図の一実施例を示すものであり、図５は、本発明に係るプリペイドカード券売機のブロック構成図の一実施例を示すものである。
【００３９】
（プリペイドカード改札機のブロック構成図）
図４に示すように、本発明に係るプリペイドカード改札機１０は、前述したごときデータを有するプリペイドカード１の内部データを読み取るためのデータ読取り部１１と、プリペイドカード１の内部データを書き換えるためのデータ書換え部１２と、プリペイドカード１の表裏面への印字内容を書き換えるためのカード印字書換え部１３と、プリペイド乗車券部３のプリペイド残金（現在値）３ａ「Ｘ円」のプリペイドカード改札機用のディスプレイへの表示や警告音の鳴動、及び、プリペイドカード改札機を通過時のゲート開閉等の出力を行なうための出力部１４と、前記各部位に対する制御を行なうための制御部１５とからなっている。
【００４０】
（プリペイドカード券売機のブロック構成図）
また、図５に示すように、本発明に係るプリペイドカード券売機２０は、前述したごときデータを有するプリペイドカード１の内部データを読み取るためのデータ読取り部２１と、プリペイドカード１の内部データを書き換えるためのデータ書換え部２２と、プリペイドカード１の表裏面への印字内容を書き換えるためのカード印字書換え部２３と、プリペイド乗車券部３のプリペイド残金（現在値）３ａ「Ｘ円」のプリペイドカード券売機用のディスプレイへのディスプレイ表示等を行なうための出力部２４と、定期乗車券部２の定期区間２ａ，２ｂや定期期間２ｄの更新あるいはプリペイド乗車券部３への入金額等を選択させるための入力部２６と、必要金額の入金処理を行なうための入金部２７と、入金された金額を認識するための認識部２８と、前記各部位に対する制御を行なうための制御部２５とからなっている。
【００４１】
（プリペイドカード改札機の処理概要）
次に、図４に示す本発明に係るプリペイドカード改札機１０の処理概要について、図６及び図７に示すフローチャートを用いて説明する。ここに、図６は、本発明に係るプリペイドカード改札機１０の処理概要の一実施例を説明するために、図４における制御部１５の制御動作の一例を示すフローチャートであり、図７は、図６のフローチャートに続く残りの制御動作の一例を示すフローチャートである。
以下に、図６及び図７の各ステップについて説明する。
【００４２】
まず、プリペイドカード１が入力されてくるのを待ち合わせて、プリペイドカード１が入力された場合、プリペイドカード１の内部データを読み取る（ステップＳ１）。
プリペイドカード１の乗車駅（現在）３ｂとして、既に、乗車駅（例えば、Ｒ駅）が書き込まれているか否かをチェックし、まだ、乗車駅が書き込まれていなかった場合には（ステップＳ２の乗車の場合）、当該駅（例えば、Ｓ駅）からの乗車と判断して、ステップＳ４へ進み、乗車時の処理としてプリペイドカード１のプリペイド乗車券部３の乗車駅（現在）３ｂ欄に、当該駅（例えば、Ｓ駅）を乗車駅として書き込み（ステップＳ４）、入場処理を行なうために、ステップＳ１６に進む。
一方、プリペイドカード１の乗車駅（現在）３ｂ欄に、既に、乗車駅（例えば、Ｒ駅）が書き込まれていた場合には（ステップＳ２の下車の場合）、当該駅（例えば、Ｓ駅）にて下車する場合と判断して、ステップＳ３へ進む。
【００４３】
当該駅（例えば、Ｓ駅）にて下車する場合と判断された場合においては（ステップＳ２の下車の場合）、下車時の処理として、既に書き込まれている乗車駅（Ｒ駅）から当該駅（Ｓ駅）までの乗車区間が、定期乗車券部２の定期区間２ａ，２ｂ（例えば、Ｐ駅とＱ駅との間の区間）内にあるのか、又は、定期区間外なのか、それとも、一部定期区間を含む乗入れ及び／又は乗越しなのかを判断する（ステップＳ３）。
【００４４】
乗車区間が定期区間内の場合には（ステップＳ３の定期区間内の場合）、プリペイドカード１の定期乗車券部２だけのデータを用いる場合に該当しており、ステップＳ５へ進み、定期区間外の場合には（ステップＳ３の定期区間外の場合）には、プリペイドカード１のプリペイド乗車券部３だけのデータを用いる場合に該当しており、当該乗車区間（Ｒ駅からＳ駅までの区間）の運賃は、全額、プリペイドカード１のプリペイド乗車券部３によって精算することとなるために、ステップＳ８へと進む。一方、一部定期区間を含む乗入れ及び／又は乗越しの場合であれば（ステップＳ３の一部定期区間を含む場合）、プリペイドカード１の定期乗車券部２とプリペイド乗車券部３の両方のデータを用いる場合に該当しており、ステップＳ６へと進む。
【００４５】
乗車区間が定期区間内の場合には（ステップＳ３の定期区間内の場合）、プリペイドカード１の定期乗車券部２が有効かどうかをチェックするため、現在時刻（年月日）と定期乗車券部２の仮期限２ｇ「Ｙ／Ｍ／Ｄ」との比較を行ない、仮期限２ｇ「Ｙ／Ｍ／Ｄ」を超過していないか否かを判断する（ステップＳ５）。仮期限２ｇ「Ｙ／Ｍ／Ｄ」を超えていなかった場合には（ステップＳ５のＮＯ）、プリペイドカード１の定期乗車券部２は有効であるものと判断して、出場処理を行なうために、ステップＳ１５へ進み、一方、仮期限２ｇ「Ｙ／Ｍ／Ｄ」を超過していた場合には（ステップＳ５のＹＥＳ）、プリペイドカード１の定期乗車券部２は無効と判断して、当該乗車区間（Ｒ駅からＳ駅までの区間）の運賃は、全額、プリペイドカード１のプリペイド乗車券部３によって精算することとなるために、ステップＳ８へ進む。
【００４６】
一部定期区間を含む乗入れ及び／又は乗越しの場合においても（ステップＳ３の一部定期区間を含む場合）、ステップＳ５の場合と同様に、まず、プリペイドカード１の定期乗車券部２が有効かどうかをチェックするため、現在時刻（年月日）と定期乗車券部２の仮期限２ｇ「Ｙ／Ｍ／Ｄ」との比較を行ない、仮期限２ｇ「Ｙ／Ｍ／Ｄ」を超過していないか否かを判断する（ステップＳ６）。
【００４７】
仮期限２ｇ「Ｙ／Ｍ／Ｄ」を超えていなかった場合には（ステップＳ６のＮＯ）、プリペイドカード１の定期乗車券部２は有効であるものと判断して、乗入れ及び／又は乗越しの精算処理を行なうために、ステップＳ７へ進み、実際の乗車区間（Ｒ駅からＳ駅までの区間）からプリペイドカード１の定期乗車券部２に含まれる区間を差し引いて、乗入れ区間及び／又は乗越し区間を求める（ステップＳ７）。
一方、仮期限２ｇ「Ｙ／Ｍ／Ｄ」を超過していた場合には（ステップＳ６のＹＥＳ）、プリペイドカード１の定期乗車券部２は無効と判断して、当該乗車区間の運賃は、全額、プリペイドカード１のプリペイド乗車券部３によって精算することとなるために、ステップＳ８へ進む。
【００４８】
ステップＳ８においては、支払い対象乗車運賃として乗車駅（Ｒ駅）から当該駅（Ｓ駅）までの乗車区間に相当する運賃を算出して出力するが、ここで、一部定期区間を含む乗入れ及び／又は乗越しを行なった場合として、前記ステップＳ７において、乗入れ及び／又は乗越し区間が算出されていた場合には、乗車駅（Ｒ駅）から当該駅（Ｓ駅）までの乗車区間に相当する前記運賃を前記支払い対象乗車運賃として出力する代わりに、かかる乗入れ区間及び乗越し区間にそれぞれ相当する乗入れ運賃及び乗越し運賃の和を算出して、算出された乗入れ運賃及び乗越し運賃の和を、前記支払い対象乗車運賃として出力する（ステップＳ８）。なお、一部定期区間を含む乗入れ及び／又は乗越しの場合であっても、乗車駅（Ｒ駅）から当該駅（Ｓ駅）までの乗車区間に相当する前記運賃と比較して、前記乗入れ及び前記乗越し運賃の和が上回る金額となっている場合においては、乗車駅（Ｒ駅）から当該駅（Ｓ駅）までの乗車区間に相当する前記運賃を、前記支払い対象乗車運賃として出力する。
【００４９】
次いで、ステップＳ８において算出された前記支払い対象乗車運賃がプリペイドカード１のプリペイド乗車券部３により精算可能（即ち、支払い可能）な金額であるか否かをチェックする。即ち、プリペイドカード１のプリペイド乗車券部３のプリペイド残金（現在値）３ａ「Ｘ円」が、前記支払い対象乗車運賃よりも多い、もしくは、等しいときは（ステップＳ９のＹＥＳ）、そのまま、前記支払い対象乗車運賃の精算が可能であるものとして、ステップＳ１４へ進み、逆に、前記支払い対象乗車運賃よりも少ないときは（ステップＳ９のＮＯ）、プリペイドカード１のプリペイド乗車券部３そのままでは、前記支払い対象乗車運賃の精算ができないものとして、ステップＳ１０へ進む。
即ち、ステップＳ９は、プリペイドカード１のプリペイド乗車券部３の残存金額に不足金額が発生しているか否かを検出する金額不足検出手段を提供するものであり、該不足金額が発生したことが検出された場合には（ステップＳ９のＮＯ）、ステップＳ１０を構成する金額換算手段を起動させて、前記不足金額を充当させるために、プリペイドカード１の定期乗車券部２の残存期間を金額に換算させんとしているものである。
【００５０】
ステップＳ１０においては、プリペイドカード１の定期乗車券部２の残存期間を金額に換算して、かかる換算された換算金額が、前記支払い対象乗車運賃とプリペイドカード１のプリペイド乗車券部３のプリペイド残金（現在値）３ａ「Ｘ円」との差額（不足分）を充当するのに十分な金額（即ち、プリペイドカード１の定期乗車券部２の残存期間）が残っているかを判断する。なお、かかる充当可否の残存期間に対する具体的な判断方法の一例を、後述の図８において更に説明することにする。
【００５１】
充当するのに十分な金額（即ち、プリペイドカード１の定期乗車券部２の残存期間）が残っていると判断された場合は（ステップＳ１０のＹＥＳ）、前記支払い対象乗車運賃とプリペイドカード１のプリペイド乗車券部３のプリペイド残金（現在値）３ａ「Ｘ円」との差額（不足分）を充当するための充当処理を行なうために、ステップＳ１１へ進む。ステップＳ１１においては、まず、プリペイドカード１のプリペイド乗車券部３のプリペイド残金（現在値）３ａ「Ｘ円」への充当処理として、該充当金額に換算される期間に応じた期間分だけ、プリペイドカード１の定期乗車券部２の有効期間を短縮させて、定期乗車券部２の仮期限２ｇ「Ｙ／Ｍ／Ｄ」を書き換えた後（ステップＳ１１）、ステップＳ１４に進み、プリペイド残金（現在値）３ａ「Ｘ円」の更新を行なう。
【００５２】
一方、充当するのに十分な金額（即ち、プリペイドカード１の定期乗車券部２の残存期間）が残っていないと判断された場合は（ステップＳ１０のＮＯ）、改札口からの出場は不可能であるものとして、ステップＳ１２へ進み、当該プリペイドカード使用者に対して、充当不可能であり、出場不可能である旨を通知するための警告音（アラーム）を鳴動させる（ステップＳ１２）。更に、かかる場合においては、当該プリペイドカード使用者を物理的に出場不可能の状態とするためにプリペイドカード改札機のゲートを閉じたままの状態とする（ステップＳ１３）。
【００５３】
ステップＳ１４において、ステップＳ８において算出された前記支払い対象乗車運賃がプリペイドカード１のプリペイド乗車券部３により精算可能（即ち、支払い可能）な金額とされた場合にあっては（ステップＳ９のＹＥＳ）、プリペイドカード１のプリペイド乗車券部３の精算前のプリペイド残金（現在値）３ａ「Ｘ円」から、前記支払い対象乗車運賃を差し引いた差額金額により、プリペイドカード１のプリペイド乗車券部３のプリペイド残金（現在値）３ａ「Ｘ円」を書き換える（ステップＳ１４）。
一方、前記ステップ１１において定期乗車券部２の残存期間から不足分を充当している場合にあっては（即ち、ステップＳ１１からの移行の場合にあっては）、プリペイドカード１のプリペイド乗車券部３のプリペイド残金（現在値）３ａ「Ｘ円」から前記支払い対象乗車運賃を差し引いた差額金額を、プリペイド残金（現在値）３ａ「Ｘ円」を充当するための充当金額として識別可能とすべく、マイナス表示にてプリペイド残金（現在値）３ａ「Ｘ円」が更新されて記録される。
【００５４】
ここで、定期乗車券部２の有効期限を短縮させた際の換算金額が、前記充当金額を上回っていた場合には、上回った換算金額分を余剰換算金額として保持記録させて、次回以降の精算処理に対しても充当可能としている。即ち、次回以降に、定期区間以外の乗車区間に対する運賃の精算処理が発生した場合には、まず、前記余剰換算金額により充当可能な金額か否かが判定され、充当可能な金額であると判定される限り、該余剰換算金額からの該当処理が行なわれ、プリペイド残金（現在値）３ａ「Ｘ円」のマイナス表示としての更新処理がなされるが、定期乗車券部２の有効期限を更に短縮させて新たな換算金額を生成する処理が実施されることにはならない。
【００５５】
次いで、下車処理として、プリペイドカード１のプリペイド乗車券部３の乗車駅（現在）３ｂ欄から乗車駅（例えば、Ｒ駅）を消去して、次の乗車に備える（ステップＳ１５）。
更に、乗車及び下車の双方において、プリペイドカード１の定期乗車券部２の残存期間即ち現在時刻（年月日）から仮期限２ｇ「Ｙ／Ｍ／Ｄ」までの残り期間をチェックし、残り１週間未満の残存期間の場合には（ステップＳ１６のＹＥＳ）、当該プリペイドカード使用者に対して、期限切れに近づいている旨の注意を促すためのアラームを鳴動させて（ステップＳ１７）、ステップＳ１８で進む。
【００５６】
一方、プリペイドカード１の定期乗車券部２の残存期間が、まだ１週間以上残っている場合には（ステップＳ１６のＮＯ）、まだ十分な残存期間が残っていると判断し、直ちにステップＳ１８で進む。
ステップＳ１８においては、当該プリペイドカード使用者を、物理的に、入場又は出場可能な状態とするためにプリペイドカード改札機のゲートを開いた状態とする（ステップＳ１８）。
【００５７】
（定期乗車券部の残存期間充当可否に対する具体的な判断方法）
次に、図７のフローチャートのステップＳ１０において示した残存期間の金額換算方法について、即ち、プリペイドカード１の定期乗車券部２の残存期間を金額に換算して、かかる換算された換算金額として、前記支払い対象乗車運賃とプリペイドカード１のプリペイド乗車券部３のプリペイド残金（現在値）３ａ「Ｘ円」との差額（不足分）を充当するのに十分な金額（即ち、プリペイドカード１の定期乗車券部２の残存期間）が残っているか否かを判断する具体的な判断方法について、その一例を、図８のフローチャートを用いて説明する。ここに、図８は、プリペイドカード１の定期乗車券部２の残存期間を金額換算して、乗車運賃の精算に充当可能か否かを判別する具体例を説明するためのフローチャートである。
【００５８】
即ち、図８は、図７のステップＳ１０において、プリペイドカード１の定期乗車券部２の残存期間、つまり、現在時刻（現在年月日）から仮期限２ｇ「Ｙ／Ｍ／Ｄ」（なお、プリペイドカード１のプリペイド残金Ｘ（現在値）が残っている通常の状態にあっては、前述のごとく、仮期限２ｇ「Ｙ／Ｍ／Ｄ」と本来の通常期限２ｆ「Ｙ0／Ｍ0／Ｄ0」とは一致している。）までの期間がプリペイド残金Ｘの不足分を充当するのに十分かどうかを判断し、更に、充当するのに十分であると判断した場合には、具体的に、どれだけの期間を乗車金額の精算に対する充当に充てる必要があるかを算出するための処理を示すフローチャートである。
また、図８に示すフローチャートにおいては、プリペイドカード１の定期乗車券部２の残存期間から換算される換算金額を、現時点で解約した場合に払い戻される払戻し金額を超えない金額とすることにより、プリペイドカード１全体の価値のバランスを崩さないようにしている。
【００５９】
ここで、図８のフローチャートの説明に先立って、まず、前記払戻し金額の具体的な決定方法の一例を示す。まず、払戻しを行なう日までを、プリペイドカード１の定期乗車券部２を実際に使用した使用期間とし、該使用期間において最も効率良く使用したと仮定した場合における該定期乗車券部２の使用済み金額を求める。
しかる後において、実際に購入した定期期間２ｄ「Ｎ箇月」の該定期乗車券部２の購入金額と該定期乗車券部２の前記使用済み金額との差額が払戻し金額となる。
なお、該定期乗車券部２は、複数の定期乗車券部２の組合せであっても良いものとする。また、一般的に、定期乗車券部２の定期期間２ｄ「Ｎ箇月」は、月単位とされているので、前記使用期間は、月単位で扱われることとしても良く、本実施例においては、金額換算するために用いる定期期間２ｄ「Ｎ箇月」を短縮させる際に、月単位で扱うこととする。
【００６０】
以下に、図８に示すフローチャートの処理について説明する。
プリペイドカード１のプリペイド乗車券部３のプリペイド残金（現在値）３ａ「Ｘ円」の不足額の総額である累積充当予定金額を求める（ステップＳ２１）。
ここで、今回の支払い対象乗車運賃の精算処理以前において、まだ、一度も、プリペイド残金（現在値）３ａ「Ｘ円」への充当処理が行なわれていない状態にあった場合には、今回の支払い対象乗車運賃に対するプリペイド残金（現在値）３ａ「Ｘ円」の不足額のみが前記累積充当予定金額となる。
また、まだ、一度も、プリペイド残金（現在値）３ａ「Ｘ円」への充当処理が行なわれていない状態にあった場合には、前述のごとく、プリペイドカード１の定期乗車券部２の仮期限２ｇ「Ｙ／Ｍ／Ｄ」は、通常期限２ｆ「Ｙ0／Ｍ0／Ｄ0」と全く同じ期限とされている。
【００６１】
一方、今回の支払い対象乗車運賃の精算処理以前に、既に、プリペイド残金（現在値）３ａ「Ｘ円」への充当処理が行なわれていた状態の場合には、以前に行なわれた充当金額の総額に更に今回の支払い対象乗車運賃を加えた金額が前記累積充当予定金額となる。
また、今回の乗車運賃の精算処理以前に、既に、プリペイド残金（現在値）３ａ「Ｘ円」への充当処理が行なわれていた状態の場合には、プリペイドカード１の定期乗車券部２の仮期限２ｇ「Ｙ／Ｍ／Ｄ」は、充当金額に相当する期間分だけ、通常期限２ｆ「Ｙ0／Ｍ0／Ｄ0」から短縮された状態に設定されている。
【００６２】
次に、今回を含めた前記累積充当予定金額に対する仮期限２ｇ「Ｙ／Ｍ／Ｄ」を決定するために、通常期限２ｆ「Ｙ0／Ｍ0／Ｄ0」からの短縮月数を算出するための変数Ｌに対して初期値「１」（即ち、１箇月）を与える（ステップＳ２２）。つまり、短縮する期間として、１箇月から開始して、前記累積充当予定金額を充足するに至るまで、順次、短縮すべき月数を増加していく処理を行なう。
【００６３】
次いで、通常期限２ｆ「Ｙ0／Ｍ0／Ｄ0」までの残存期間が、「Ｌ箇月＋１週間」以上あるか否かのチェックを行なう（ステップＳ２３）。残存期間が「Ｌ箇月＋１週間」以上ある場合には（ステップＳ２３のＹＥＳ）、前記累積充当予定金額に対して、Ｌ箇月分に相当する換算金額の充当がなされたとしても、残存期間として、まだ、少なくとも「１週間」以上残る状態であり、Ｌ箇月分に相当する換算金額の充当が可能であると判断して、ステップＳ２５へ進む。
【００６４】
即ち、一般には、残存期間が「Ｌ箇月」ある場合には、Ｌ箇月分に相当する換算金額の充当を行なうことが可能ではあるが、通常期限２ｆ「Ｙ0／Ｍ0／Ｄ0」からＬ箇月分に相当する換算金額を充当することによって、有効期間を短縮されて新たに設定される仮期限２ｇ「Ｙ／Ｍ／Ｄ」としての残存期間が殆どなくなることとなる。したがって、たとえ、後日入金することにより、新たに設定された仮期限２ｇ「Ｙ／Ｍ／Ｄ」を通常期限２ｆ「Ｙ0／Ｍ0／Ｄ0」に復帰させる処理を行なうとしても、かかる復帰処理を行なうための時間的余裕がなくなる。よって、少なくとも、プリペイド乗車券部３のプリペイド残金（現在値）３ａ「Ｘ円」へ充当される前記換算金額以上の金額を該プリペイドカードに対して改めて入金処理を行なうに充分な期間として予め定められた所定の余裕期間以上、例えば、「１週間」以上の残存期間が残っている場合に限り、仮期限２ｇ「Ｙ／Ｍ／Ｄ」が新たに設定されることを可能とするように予め確認することとしている。
【００６５】
一方、残存期間が「Ｌ箇月＋１週間」に満たない場合には（ステップＳ２３のＮＯ）、前記累積充当予定金額に対して充当するには不十分な残存期間しか残っていないものと判断して、即ち、仮期限２ｇ「Ｙ／Ｍ／Ｄ」の残存期間として、「１週間」以上の余裕を確保することができず、充当は不可能な状態にあるものとして、ステップＳ２４へ進み、プリペイド残金（現在値）３ａ「Ｘ円」の不足分に対する定期乗車券部２の残存期間の充当は不可能である旨を設定して、充当処理を行なわないこととする（ステップＳ２４）。
【００６６】
定期乗車券部２の通常期限２ｆ「Ｙ0／Ｍ0／Ｄ0」までの残存期間が、「Ｌ箇月＋１週間」以上残っている場合には（ステップＳ２３のＹＥＳ）、ステップＳ２５において、まず、定期乗車券部２の通常期限２ｆ「Ｙ0／Ｍ0／Ｄ0」から「Ｌ箇月」短縮して、定期乗車券部２の仮期限２ｇ「Ｙ／Ｍ／Ｄ」に設定した場合における「Ｌ箇月」分の換算金額即ち充当可能金額の上限値を求める。
ここに、該充当可能金額の上限値としては、仮期限２ｇ「Ｙ／Ｍ／Ｄ」の時点において、当該プリペイドカード１の定期乗車券部２を解約したときの払戻し金額、つまり、残存期間が「Ｌ箇月」残っている場合における払戻し金額と等しい金額とする。
【００６７】
なお、一般的に、プリペイドカード１の定期乗車券部２の残存期間を金額換算する（即ち、前記充当可能金額に換算する）金額換算手段を実現する場合、前記充当可能金額としては、前述のごとく、プリペイドカード１の定期乗車券部２の定期種類２ｃ，定期期間２ｄ，定期乗車区間の範囲、及び、短縮期間を示す「Ｌ箇月」の値などの組み合わせによって決定されるようにすべきものである。
而して、プリペイドカード改札機に対して、かかる組み合わせに基いて決定される充当可能金額をそれぞれ算出可能とするためのデータベース等を備えさせることにより、前記充当可能金額を求めることができる。しかしながら、定期種類２ｃ，定期期間２ｄ、及び、定期乗車区間の範囲の組み合わせについては、プリペイドカード１それぞれにより様々の組合せがあるために、プリペイドカード改札機のメモリ量の増大を招くと共に、負荷が高くなり、動作速度の遅延等などの悪影響を及ぼすものと考えられる。
【００６８】
一方、各プリペイドカード１毎に個別に見れば、短縮期間を示す「Ｌ箇月」の値の変動範囲は比較的小さい。したがって、本実施例の前記金額換算手段の実現方法としては、各プリペイドカード１毎に、当該プリペイドカード１の定期乗車券部２の内部データとして、図３に示すごとく、短縮期間を示す「Ｌ箇月」の取り得る値（１箇月，２箇月，…，（Ｎ−１）箇月）それぞれに対応して、残存期間が「Ｌ箇月」残っている場合における払戻し金額と等しい、もしくは、該払戻し金額を超えない金額となる充当金額上限値２ｈ  ＺL（Ｚ1円，Ｚ2円，…，ＺN-1円）を予め記録させておき、プリペイドカード１の定期乗車券部２対応の充当金額上限値２ｈ  ＺLから充当金額上限値を読み出すこととする。
【００６９】
而して、図８のステップＳ２５において、プリペイドカード１の定期乗車券部２の充当金額上限値２ｈ  ＺLから読み出されたＬ箇月分の充当可能金額の上限値が、前記ステップＳ２１にて求められた前記累積充当予定金額よりも、多いか、あるいは、等しい場合には（ステップＳ２５のＹＥＳ）、充当可能であると判断して、ステップＳ２７へ進み、逆に、少なかった場合は（ステップＳ２５のＮＯ）、Ｌ箇月分では充当不可能と判断して、ステップＳ２６へ進み、仮期限２ｇ「Ｙ／Ｍ／Ｄ」を設定するための通常期限２ｆ「Ｙ0／Ｍ0／Ｄ0」からの短縮期間を示す「Ｌ箇月」に「１」加算して（ステップＳ２６）、ステップＳ２３に戻り、１箇月更に多く短縮した場合の判定処理を繰り返す。
【００７０】
「Ｌ箇月」分の充当可能金額の上限値により、前記累積充当予定金額に対する充当が可能と判断された場合には（ステップＳ２５のＹＥＳ）、プリペイドカード１の定期乗車券部２の通常期限２ｆ「Ｙ0／Ｍ0／Ｄ0」より「Ｌ箇月」分短縮された仮期限２ｇ「Ｙ／Ｍ／Ｄ」に設定変更することにより、現在の前記累積充当予定金額を実際に充当可能であるとして（ステップＳ２７）、処理を終了する。
かかる仮期限２ｇ「Ｙ／Ｍ／Ｄ」の設定変更処理は、前記累積充当予定金額が発生し、定期乗車券部２の残存期間からの充当処理がなされる都度、実施されるものであり、今回の設定変更処理を行なう前に、既に、定期乗車券部２の残存期間からの充当処理がなされていた場合には、通常期限２ｆ「Ｙ0／Ｍ0／Ｄ0」より短縮された仮期限２ｇ「Ｙ／Ｍ／Ｄ」が設定されている状態にあるが、前述したごとき余剰換算金額による充分な該当処理が不可能である場合には、今回の定期乗車券部２の残存期間からの充当処理により、更に短縮された「Ｌ箇月」分の仮期限２ｇ「Ｙ／Ｍ／Ｄ」に変更されて設定されることとなる。
【００７１】
（プリペイドカード券売機の処理概要）
次に、図５に示す本発明に係るプリペイドカード券売機２０の処理概要について、図９に示すフローチャートを用いて説明する。ここに、図９は、本発明に係るプリペイドカード券売機２０の処理概要の一実施例を説明するために、図５における制御部２５の制御動作の一例を示すフローチャートである。
以下に、図９の各ステップについて説明する。
【００７２】
まず、プリペイドカード１が入力されてくるのを待ち合わせて、プリペイドカード１が入力された場合、プリペイドカード１の内部データを読み取る（ステップＳ３１）。
次いで、プリペイドカード１のプリペイド乗車券部３に記録されているプリペイド残金（現在値）３ａ「Ｘ円」をチェックし、プリペイド残金（現在値）３ａ「Ｘ円」が、マイナス表示である場合には（ステップＳ３２のＹＥＳ）、プリペイドカード１の定期乗車券部２の残存期間からプリペイド残金（現在値）３ａ「Ｘ円」への充当処理が行なわれていると判断し、ステップＳ３３へ進み、一方、プリペイド残金（現在値）３ａ「Ｘ円」が、プラス表示の場合には（ステップＳ３２のＮＯ）、プリペイドカード１の定期乗車券部２からの前記充当処理は行なわれていないと判断し、プリペイドカード１の定期乗車券部２に関する通常の発券処理を行なうために、ステップＳ３７へ進む。
【００７３】
プリペイドカード１の定期乗車券部２の残存期間からの充当処理が行なわれていて、プリペイド残金（現在値）３ａ「Ｘ円」が、マイナス表示されている場合（ステップＳ３２のＹＥＳ）、該マイナス表示されているプリペイド残金（現在値）３ａ「Ｘ円」即ち前記累積充当予定金額（換言すれば、プリペイド残金（現在値）３ａ「Ｘ円」への充当金額）を精算させるために、プリペイドカード券売機２０に、プリペイド残金Ｘのマイナス表示金額を表示し、プリペイドカード１使用者に対して入金を促す（ステップＳ３３）。即ち、ステップＳ３２及びステップＳ３３は、プリペイドカード１の定期乗車券部２からプリペイド乗車券部３のプリペイド残金（現在値）３ａ「Ｘ円」に対する充当金額として、マイナス表示とされて記録されている該充当金額を当該プリペイドカード１から読み出して検出し、表示するための充当金額検出手段を提供している。
【００７４】
次いで、プリペイドカード１使用者からの実際の入金額を図５に示す認識部２８にてチェックし（ステップＳ３４）、プリペイド残金Ｘに対して必要とする充当金額（即ち、前記累積充当予定金額）に等しいか、あるいは、該充当金額よりも多い金額が入金されることによる精算が終わるのを待ち（ステップＳ３４のＮＯ）、精算が終わったら（ステップＳ３４のＹＥＳ）、ステップＳ３５へ進み、プリペイド残金Ｘへの充当金額に対する精算が終了したことにより、プリペイド残金（現在値）３ａ「Ｘ円」を「０」に書き換える（ステップＳ３５）。
更に、プリペイド残金（現在値）３ａ「Ｘ円」への充当金額に対する精算が終了したことにより、今まで充当処理により短縮されていた仮期限２ｇ「Ｙ／Ｍ／Ｄ」を、プリペイドカード１の定期乗車券部２の本来の残存期間である通常期限２ｆ「Ｙ0／Ｍ0／Ｄ0」に復帰させるように書き換える（ステップＳ３６）。
【００７５】
ステップＳ３７においては、プリペイドカード１の定期乗車券部２に関する通常の発券処理を行なうために、まず、プリペイドカード１の定期乗車券部２の通常期限２ｆ「Ｙ0／Ｍ0／Ｄ0」が示す残存期間が、通常期限２ｆ「Ｙ0／Ｍ0／Ｄ0」の更新が可能な期間として予め定められている更新可能期間以内にまで近接した年月日に至っているか否かが判断される（ステップＳ３７）。ここで、通常期限２ｆ「Ｙ0／Ｍ0／Ｄ0」の残存期間が、前記更新可能期間以内、例えば、「１週間」以内に至っていた場合には（ステップＳ３７のＹＥＳ）、通常期限２ｆ「Ｙ0／Ｍ0／Ｄ0」の更新を行なうことができるものとして、ステップＳ３８へ進み、通常期限２ｆ「Ｙ0／Ｍ0／Ｄ0」の更新処理を行なうこととし、一方、通常期限２ｆ「Ｙ0／Ｍ0／Ｄ0」の残存期間が、前記更新可能期間よりも長い、例えば、「１週間」よりも長い場合には（ステップＳ３７のＮＯ）、通常期限２ｆ「Ｙ0／Ｍ0／Ｄ0」の更新を行なうことができないものとして、ステップＳ４４へ進み、プリペイドカード１のプリペイド乗車券部３のプリペイド残金（現在値）３ａ「Ｘ円」への入金処理を行なう段階に進む。
【００７６】
ステップＳ３８においては、通常期限２ｆ「Ｙ0／Ｍ0／Ｄ0」を更新するために、当該プリペイドカード１使用者が、更新を行なうべき定期期間「Ｎ箇月」を選択入力するまで待ち合わせて（ステップＳ３８のＮＯ）、更新を行なう定期期間「Ｎ箇月」が選択入力されたら（ステップＳ３８のＹＥＳ）、ステップＳ３９へ進み、次いで、更新を行なう定期期間「Ｎ箇月」の購入に必要とする購入金額を表示し、実際に入金するように促す（ステップＳ３９）。
【００７７】
なお、前記購入金額は、一般に、定期区間開始駅２ａ「Ｐ駅」，定期区間終了駅２ｂ「Ｑ駅」，定期種類２ｃ，定期径路、及び、ステップＳ３８において選択入力された定期期間２ｄ「Ｎ箇月」により一意に決定されるものである。しかし、図９に示す本実施例においては、前記定期区間開始駅２ａ「Ｐ駅」，前記定期区間終了駅２ｂ「Ｑ駅」，前記定期種類２ｃ、及び、前記定期径路については、何等更新処理がなされず、定期期間２ｄ「Ｎ箇月」のみの更新がなされている場合について示している。
【００７８】
プリペイドカード１使用者からの実際の入金額を図５に示す認識部２８にてチェックし（ステップＳ４０）、ステップＳ３９において表示された前記購入金額と等しい又は前記購入金額よりも多い金額が入金されることによる精算が終わるのを待ち（ステップＳ４０のＮＯ）、精算が終わったら（ステップＳ４０のＹＥＳ）、ステップＳ４１へ進む。
ステップＳ４１においては、通常期限２ｆ「Ｙ0／Ｍ0／Ｄ0」更新のための入金がなされて、精算が終わったことにより、ステップＳ３８で選択入力された更新定期期間「Ｎ箇月」の値に、プリペイドカード１の定期乗車券部２の定期期間２ｄ「Ｎ箇月」を書き換える（ステップＳ４１）。
【００７９】
更に、通常期限２ｆ「Ｙ0／Ｍ0／Ｄ0」更新のための入金がなされて、精算が終わったことにより、プリペイドカード１の定期乗車券部２の更新前の通常期限２ｆ「Ｙ0／Ｍ0／Ｄ0」に対して、前記ステップＳ３８で選択入力された更新定期期間２ｄ「Ｎ箇月」の値を加えた値に更新して、プリペイドカード１の定期乗車券部２の通常期限２ｆ「Ｙ0／Ｍ0／Ｄ0」を書き換える（ステップＳ４２）。更に、通常期限２ｆ「Ｙ0／Ｍ0／Ｄ0」更新のための入金がなされて、精算が終わったことにより、プリペイドカード１の定期乗車券部２の仮期限２ｇ「Ｙ／Ｍ／Ｄ」を前記ステップＳ４２において書き換えられた通常期限２ｆ「Ｙ0／Ｍ0／Ｄ0」と同じ期限に書き換えることにより（ステップＳ４３）、プリペイドカード１の定期乗車券部２の期限更新処理を終了し、プリペイドカード１のプリペイド乗車券部３のプリペイド残金Ｘ（現在値）の更新処理に移る。
【００８０】
プリペイドカード１のプリペイド乗車券部３のプリペイド残金（現在値）３ａ「Ｘ円」の更新処理を開始する際に、まず、プリペイド残金（現在値）３ａ「Ｘ円」への入金を行なわせるに先立って、当該プリペイドカード１使用者自身に対して、現在のプリペイド残金（現在値）３ａ「Ｘ円」の正確な金額を認識させる必要があることから、プリペイド残金（現在値）３ａ「Ｘ円」の表示を行なう（ステップＳ４４）。
ステップＳ４４にて表示されたプリペイド残金（現在値）３ａ「Ｘ円」の金額を踏まえて、当該プリペイドカード１使用者によって実際に入金したい金額が判断されて、入金額が選択入力されるまで待ち合わせて（ステップＳ４５のＮＯ）、入金額が選択入力されたら（ステップＳ４５のＹＥＳ）、ステップＳ４６へ進み、入金を促す。
【００８１】
次いで、プリペイドカード１使用者からの実際の入金額を図５に示す認識部２８にてチェックし（ステップＳ４６）、ステップＳ４５において選択入力された前記入金額と等しいか又は前記入金額よりも多い金額が入金されることによる精算が終わるのを待ち合わせ（ステップＳ４６のＮＯ）、精算が終わったら（ステップＳ４６のＹＥＳ）、ステップＳ４７へ進み、プリペイドカード１のプリペイド乗車券部３のプリペイド残金（現在値）３ａ「Ｘ円」の書き換え処理を行なう。
即ち、ステップＳ４４において表示したプリペイドカード１のプリペイド乗車券部３の更新前のプリペイド残金（現在値）３ａ「Ｘ円」に、前記ステップＳ４５で選択入力された入金額を加算した値を算出して、プリペイドカード１のプリペイド乗車券部３のプリペイド残金（現在値）３ａ「Ｘ円」を書き換えることにより、プリペイド残金（現在値）３ａ「Ｘ円」の更新処理を終了する（ステップＳ４７）。
【００８２】
しかる後に、ステップＳ４８においては、図９における前記各ステップでなされた処理を反映するように、プリペイドカード１の表裏面の印字部分を書き換える（ステップＳ４８）。
即ち、前記ステップＳ３３乃至ステップＳ３６におけるプリペイド残金（現在値）３ａ「Ｘ円」への充当金額の精算処理が行なわれた場合には、プリペイドカード１表面の印字部分である仮期限２ｇ「Ｙ／Ｍ／Ｄ」を通常期限２ｆ「Ｙ0／Ｍ0／Ｄ0」に書き換え、更に、プリペイドカード１裏面の履歴情報３ｃの印字部分をかかる精算処理に基づいて書き換え、また、前記ステップＳ３８乃至ステップＳ４３における通常期限２ｆ「Ｙ0／Ｍ0／Ｄ0」の更新処理が行なわれた場合は、プリペイドカード１表面の定期期限「Ｎ箇月」、通常期限２ｆ「Ｙ0／Ｍ0／Ｄ0」、仮期限２ｇ「Ｙ／Ｍ／Ｄ」等の更新に基づいてそれぞれの印字部分を書き換えると共に、プリペイドカード１裏面の履歴情報３ｃの印字部分を書き換え、また、前記ステップＳ４４乃至ステップＳ４７におけるプリペイド残金（現在値）３ａ「Ｘ円」への入金が行なわれた場合は、プリペイド残金（現在値）３ａ「Ｘ円」への入金に基いて、プリペイドカード１裏面の履歴情報３ｃの印字部分を書き換える。
【００８３】
なお、以上の実施例においては、各精算処理において、それぞれの精算に必要とする金額よりも多い金額が入金された場合には、当然、超過金額の返金処理がなされているが、かかる返金処理についての記述は省略している。
【００８４】
（まとめ）
以上に説明したように、本実施例によれば、プリペイド乗車券部３としてプリペイドされた金額に関する不足が発生した場合には、定期乗車券部２の有効期限としてプリペイドされている金額（即ち、有効期間を短縮した場合の払戻し金額に相当する換算金額）の少なくとも一部を、プリペイド乗車券部３としてプリペイドされた金額の不足分に対して充当させることにより、プリペイドカード全体の価値を矛盾なく利用するという条件下において、プリペイドカード使用者の利便性を合理的に高めることができる。
【００８５】
（変形実施例）
次に、前述した実施例に対する変形実施形態について若干補足説明する。
（１）まず、前記実施例においては、プリペイドカードの定期乗車券部の残存期間を、単純に払戻し金額により換算することとする場合を示しているが、プリペイドカードの定期乗車券部の購入に際しては、一括前払いに伴なう割引き等の特典を受けている可能性がある。従い、場合によっては、より公平に計算を行なわせるために、下車時において、プリペイドカード改札機にて充当処理が発生する都度、支払い対象乗車運賃に対して手数料もしくは利子を加算する（前記図７のステップＳ１４に示す「乗車運賃」に加算する）こととするか、場合によっては、事後のプリペイドカード券売機における精算処理時において、プリペイド残金（現在値）「Ｘ円」に対する充当金額に対して手数料もしくは利子を加算する（前記図９のステップＳ３３に示す「プリペイド残金表示」に加算する）こととしても良い。
【００８６】
（２）また、前記プリペイドカード改札機２０は、図４に示すように、単独（スタンドアローン）で動作しているが、例えば、充当可能金額を求める複雑な計算（即ち、前記図８に示すステップＳ２５の「Ｌ箇月分の充当可能金額の上限値」を、プリペイドカード１から読み取ることとせずに、プリペイドカード改札機にて算出せんとする場合の計算）をプリペイドカード改札機単独で行なうことが困難であることを考慮すると、プリペイドカード改札機が、ネットワークを介して、充当可能金額算出に関するかかる計算を迅速に実行可能なサーバに接続されるように構成することとしても良い。即ち、プリペイドカード改札機にネットワーク接続手段を更に備え、該ネットワーク接続手段を介して、ネットワークに接続されているサーバとの間でデータを送受信することを可能とするように構成することとしても良い。
【００８７】
（３）更に、プリペイドカード，プリペイドカード改札機、及び、プリペイドカード券売機の種類に関しては、磁気カードによる挿入型あるいはＩＣカードによる非接触型のいずれの場合であっても構わない。但し、非接触型の場合においては、プリペイドカード改札機において、プリペイドカード表面及び裏面の印字部分を書き換えることは困難であるので、プリペイドカードの仮期限「Ｙ／Ｍ／Ｄ」やプリペイド残金（現在値）「Ｘ円」あるいは履歴情報等の内部データのうち印字を必要とするデータについては、プリペイドカード改札機を通過する際に、プリペイドカード表面及び裏面に印字する代わりに、プリペイドカード改札機のディスプレイへ表示させたり、あるいは、プリペイド券売機など別の機器に設けられているディスプレイに表示させたり、あるいは、プリペイド券売機など別の機器に該プリペイドカード１を挿入させて印字させたりしても良い。
【００８８】
（４）加えて、プリペイドカードに印字するのではなく、プリペイドカード自身にディスプレイ部を備えることとして、プリペイドカード改札機あるいはプリペイドカード券売機等により、該ディスプレイ部に表示させるようにしても良い。かかる場合においては、挿入型および非接触型のいずれのプリペイドカードであるかに関係することなく、例えば、非接触型のＩＣカードであったとしても、仮期限「Ｙ／Ｍ／Ｄ」、通常期限「Ｙ0／Ｍ0／Ｄ0」やプリペイド残金「Ｘ円」や充当した金額や履歴情報等を前記ディスプレイ部へ表示することが可能となる。
【００８９】
（５）更には、前記実施例においては、鉄道における定期乗車券部に関するプリペイドカードの場合を例に挙げているが、本発明は、かかる場合に限るものではなく、例えば、鉄道以外の交通機関あるいはテーマパークやスポーツジムのように、一定の有効期間、特定の機能を継続して使用することが可能である機能Ａと、必要に応じて、各種の機能を使用することにより個別に精算する機能Ｂとを、併せ備えることを可能とする用途のプリペイドカードであれば、いかなる用途に対しても適用することが可能である。
【００９０】
【発明の効果】
本発明に係るプリペイドカード管理システム、プリペイドカード改札機及びプリペイドカード券売機によれば、たとえ、予め入金しておいたプリペイドカードの残金に不足が生じた場合であっても、有効期限に依存した定期券部の有効期限を短縮することにより、該短縮した期間に相当する金額を換算して、プリペイドカードの残金の不足分へ充当を行なうことを可能としているので、不足分が発生する都度、別途、自動精算機あるいは人手による精算を行なう手間を省くことができ、プリペイドカード使用者の利便性を向上させることができるのみならず、該プリペイドカード使用者と同じ窓口に並んでいる周囲の人々への迷惑も緩和させることができる。
【図面の簡単な説明】
【図１】本発明の一実施例におけるプリペイドカード表面の印字例である。
【図２】図１に示す本発明の一実施例におけるプリペイドカード裏面の印字例である。
【図３】図１及び図２に示すプリペイドカード内部に保持されているデータの一部を例示しているメモリ一覧表である。
【図４】本発明に係るプリペイドカード改札機の一実施例を示すブロック構成図である。
【図５】本発明に係るプリペイドカード券売機の一実施例を示すブロック構成図である。
【図６】本発明に係るプリペイドカード改札機の処理概要の一実施例を説明するために、図４における制御部の制御動作の一例を示すフローチャートである。
【図７】本発明に係るプリペイドカード改札機の処理概要の一実施例を説明するために、図４における制御部の制御動作の一例を示す図６のフローチャートに続く残りの制御動作の一例を示すフローチャートである。
【図８】プリペイドカードの定期乗車券部の残存期間を金額換算して、乗車運賃の精算に充当可能か否かを判別する具体例を説明するためのフローチャートである。
【図９】本発明に係るプリペイドカード券売機の処理概要の一実施例を説明するために、図５における制御部の制御動作の一例を示すフローチャートである。
【符号の説明】
１…プリペイドカード、２…定期乗車券部、２ａ…定期区間開始駅、２ｂ…定期区間終了駅、２ｃ…定期種類、２ｄ…定期期間、２ｅ…定期開始年月日、２ｆ…通常期限、２ｇ…仮期限、２ｈ…充当金額上限値、３…プリペイド乗車券部、３ａ…プリペイド残金（現在値）、３ｂ…乗車駅（現在）、３ｃ…履歴情報、１０…プリペイドカード改札機、１１…データ読取り部、１２…データ書換え部、１３…カード印字書換え部、１４…出力部、１５…制御部、２０…プリペイドカード券売機、２１…データ読取り部、２２…データ書換え部、２３…カード印字書換え部、２４…出力部、２５…制御部、２６…入力部、２７…入金部、２８…認識部。
【図１】
0004059699.tif 000002
【図２】
0004059699.tif 000003
【図３】
0004059699.tif 000004
【図４】
0004059699.tif 000005
【図５】
0004059699.tif 000006
【図６】
0004059699.tif 000007
【図７】
0004059699.tif 000008
【図８】
0004059699.tif 000009
【図９】
0004059699.tif 000010